(57)【要約】【課題】  携帯式データ保存装置の提供。【解決手段】  正面にディスプレイと操作キーが設けられ、上端にスイッチと電源ソケットが設けられ、下端にメモリカードスロットが設けられた主体を具え、該主体の背面に収容空間が設けられ、該収容空間内にコネクタが設けられ、該コネクタにハードディスクが組み合わされるか、或いはアダプタボードが組み合わされて該アダプタボードにハードディスクが組み合わされ、該収容空間の外部にカバーが嵌合されている。ケーブルで主体をコンピュータに接続し、コンピュータのデータを主体のハードディスクに複製してデータを携帯でき、ディスプレイと操作キーが主体にオーディオビデオ再生の機能を具備させ、メモリカードスロットにメモリカードを挿入でき、主体をコンピュータに接続しなくとも主体とメモリカード間で双方向のデータ伝送でき、主体及びメモリカード中のオーディオビデオファイルを再生できる。【選択図】        図２
0003110804.tif 000002
【実用新案登録請求の範囲】
【請求項１】
携帯式データ保存装置であって、主体を具え、該主体にディスプレイと操作キーが設けられ、該主体に電源スイッチ、ケーブルソケット及びメモリカードスロットが設けられた上記携帯式データ保存装置において、
該主体の背面に収容空間が設けられ、該収容空間にコネクタが設けられ、該コネクタにハードディスクが組み合わされたことを特徴とする、携帯式データ保存装置。
【請求項２】
携帯式データ保存装置であって、主体を具え、該主体にディスプレイと操作キーが設けられ、該主体に電源スイッチ、ケーブルソケット及びメモリカードスロットが設けられた上記携帯式データ保存装置において、
該主体の背面に収容空間が設けられ、該収容空間にコネクタが設けられ、該コネクタにアダプタボードが組み合わされ、該アダプタボードにハードディスクが組み合わされたことを特徴とする、携帯式データ保存装置。
【考案の詳細な説明】
【技術分野】
【０００１】
本考案は一種の携帯式データ保存装置に係り、特に異なる容量及びサイズのハードディスクに交換できる携帯式データ保存装置に関する。
【背景技術】
【０００２】
電子情報の勃興発展に伴い、データ保存装置が広く利用されるようになり、データ保存装置は一般に固定式と携帯式の二種類があり、固定式のものはコンピュータに組み合わされ、携帯式のものはコンピュータ外部に置かれ、それに設けられたコネクタ或いはケーブルでコンピュータに接続されてデータの複製或いは入力の動作を行なえる。このような携帯式データ保存装置は使用上便利であるあ、コンピュータ間のデータアクセスのみに使用できるだけであり、データ保存装置の使用機能を増すため、すでにデータ保存装置にオーディオビデオ再生とメモリカードスロット構造が結合されてオーディオビデオ再生機能、保存機能、及びメモリカード使用機能を具備するデータ保存装置が提供されている。しかし周知の携帯式データ保存装置の内部には単一サイズのハードディスクしか取り付けられず、且つ故障が発生すれば先ずネジを外して基板を抜き取らねばハードディスクを取り出せず、このためハードディスクの交換に長い時間がかかり、ゆえにハードディスク交換上の不便が形成される。時代の進歩に伴いこのような周知の携帯式データ保存装置はハードディスクの交換が容易で、異なるサイズのハードディスクに交換でき、使用上の必要を満足させられるよう改良することが必要である。
【考案の開示】
【考案が解決しようとする課題】
【０００３】
本考案は周知の携帯式データ保存装置の実際の使用時に有する欠点と制限を改良する斬新な携帯式データ保存装置を提供するものである。
【０００４】
本考案の主要な目的は、一種の携帯式データ保存装置を提供することにあり、それは、周知の携帯式データ保存装置のハードディスク交換に不便である点を改善し、携帯式データ保存装置の使用機能を向上したものとする。
【０００５】
本考案の次の目的は、一種の携帯式データ保存装置を提供することにあり、それは、異なるサイズのハードディスクに交換できる機能を具え、携帯式データ保存装置の使用の便利性が増されたものとする。
【０００６】
上述の目的を達成するため、本考案は一種の携帯式データ保存装置を提供し、それは、主体を具え、該主体の正面にディスプレイと操作キーが設けられ、該主体の上端にスイッチと電源ソケットが設けられ、該主体の下端にメモリカードスロットが設けられ、該主体の背面に収容空間が設けられ、該収容空間内にコネクタが設けられ、該コネクタにハードディスクが組み合わされるか、或いはアダプタボードが組み合わされて該アダプタボードにハードディスクが組み合わされ、該収容空間の外部にカバーが嵌合されている。ケーブルで主体をコンピュータに接続し、コンピュータのデータを主体のハードディスクに複製してデータを携帯でき、ディスプレイと操作キーが主体にオーディオビデオ再生の機能を具備させ、メモリカードスロットにメモリカードを挿入でき、主体をコンピュータに接続しなくとも主体とメモリカード間で双方向のデータ伝送でき、主体及びメモリカード中のオーディオビデオファイルを再生できる。
【課題を解決するための手段】
【０００７】
請求項１の考案は、携帯式データ保存装置であって、主体を具え、該主体にディスプレイと操作キーが設けられ、該主体に電源スイッチ、ケーブルソケット及びメモリカードスロットが設けられた上記携帯式データ保存装置において、
該主体の背面に収容空間が設けられ、該収容空間にコネクタが設けられ、該コネクタにハードディスクが組み合わされたことを特徴とする、携帯式データ保存装置としている。
請求項２の考案は、携帯式データ保存装置であって、主体を具え、該主体にディスプレイと操作キーが設けられ、該主体に電源スイッチ、ケーブルソケット及びメモリカードスロットが設けられた上記携帯式データ保存装置において、
該主体の背面に収容空間が設けられ、該収容空間にコネクタが設けられ、該コネクタにアダプタボードが組み合わされ、該アダプタボードにハードディスクが組み合わされたことを特徴とする、携帯式データ保存装置としている。
【考案の効果】
【０００８】
本考案は設計上、以下のような長所を有している。
１．本考案のデータ保存装置は、背面に収容空間が形成され、並びに収容空間内にコネクタが設けられ、ハードディスクが直接該コネクタに組み合わされ、ハードディスクに故障が発生した時は、ハードディスクをコネクタより抜き取ればよく、ネジを外して基板を抜き取る必要なくしてハードディスクの交換が行なえ、これにより使用上、周知の携帯式データ保存装置のハードディスク交換が容易でない欠点を改善する。
２．本考案のデータ保存装置は、収容空間にコネクタが設けられ、該コネクタにアダプタボードが組み合わされ、ゆえに該コネクタがアダプタボードを通してその他のサイズのハードディスクに組み合わされ、これにより、携帯式データ保存装置の使用上の便利性が増されている。
【考案を実施するための最良の形態】
【０００９】
図１、２、６に示されるように、本考案の携帯式データ保存装置Ａは主体１０を具えている。
【００１０】
図１、２に示されるように、該主体１０は矩形構造とされ、背面に収容空間１１が設けられ、該収容空間１１にコネクタ１２が設けられ、該コネクタ１２は直接１．８インチのハードディスク２０を組み合わせるか、或いはアダプタボード３０のコネクタ３１を組み合わせることができ、該アダプタボード３０のもう一つのコネクタ３２に１インチのハードディスク１５を組み合わせることができる。該収容空間１１外部にはカバー１３が嵌合される。このほか、該コネクタ１２に他のサイズのアダプタボード３０を組み合わせることができ、更にその他のサイズのアダプタボード３０のもう一つのコネクタ３２により他のサイズのハードディスクを組み合わせることができる。図１、６に示されるように、該主体１０の正面にはディスプレイ１４と操作キー１５が設けられ、上端に電源スイッチ１６とケーブルソケット１７が設けられ、該ケーブルソケット１７に接続されたケーブルによりコンピュータ（図示せず）に接続されてコンピュータのデータを主体１０のハードディスク１２に複製して、人々がデータを携帯できる。主体１０に設けられたディスプレイ１４及び操作キー１５が設けられ、主体１０がオーディオビデオ再生機能を具備するものとされ、また、主体１０にメモリカードスロットが設けられてメモリカードを第１スロット１８或いは第２スロット１９に挿入可能とされ、主体をコンピュータに接続しないで主体１０のデータをメモリカードに転送保存でき、或いはメモリカードのデータを主体１０に転送保存でき、また、主体１０及びメモリカード中のオーディオビデオファイルを再生できるものとされる。
【００１１】
以上は本考案の好ましい実施例の説明であって、本考案の実施範囲を限定するものではなく、本考案に基づきなしうる細部の修飾或いは改変は、いずれも本考案の請求範囲に属するものとする。
【００１２】
総合すると、本考案の構造は確実に予期された機能と目的を達成し、ゆえに本考案は実用性と進歩性を具え、また本考案に記載の構造及びその特徴はその出願前に頒布された刊行物に記載がなく、また公開使用もされていないため新規性を有し、ゆえに本考案は実用新案登録の要件を具備している。
【図面の簡単な説明】
【００１３】
【図１】本考案の携帯式データ保存装置の背面とハードディスクの実施例の分解図である。
【図２】本考案の携帯式データ保存装置の背面とハードディスク、アダプタボードの実施例分解図である。
【図３】本考案の携帯式データ保存装置の背面とハードディスク、アダプタボードの実施例組合せ図（一）である。
【図４】本考案の携帯式データ保存装置の背面とハードディスク、アダプタボードの実施例組合せ図（二）である。
【図５】本考案の携帯式データ保存装置の背面の組合せ図である。
【図６】本考案の携帯式データ保存装置の別角度から観た組合せ図である。
【符号の説明】
【００１４】
Ａ  携帯式データ保存装置            １０  主体
１１  収容空間                      １２  コネクタ
１３  カバー                        １４  ディスプレイ
１５  操作キー                      １６  電源スイッチ
１７  ケーブルソケット              １８  第１スロット
１９  第２スロット                  ２０  ハードディスク
３０  アダプタボード                ３１  コネクタ
３２  コネクタ                      ４０  ハードディスク
【図１】
0003110804.tif 000003
【図２】
0003110804.tif 000004
【図３】
0003110804.tif 000005
【図４】
0003110804.tif 000006
【図５】
0003110804.tif 000007
【図６】
0003110804.tif 000008